【事件の表示】
　特許第２９４８６３６号「遊技装置」の特許に対する特許異議の申立てについて、次のとおり決定する。
【結　論】
　特許第２９４８６３６号の特許を維持する。
【理　由】
  特許２９４８６３６号（平成２年８月２２日出願、平成１１年７月２日設定登録。）の請求項１に係る発明は、その特許請求の範囲の請求項１に記載された事項により特定される次のとおりのものである。
「所定の遊技媒体を使用して遊技が行われる遊技装置であって、
前記遊技装置は、
所要数の前記遊技媒体を排出可能な遊技媒体排出装置と、
貸出用の前記遊技媒体を排出させるための貸出遊技媒体排出信号を発生させる貸出操作手段と、
前記遊技装置による遊技の結果に応じて賞として前記遊技媒体を排出するための賞遊技媒体排出信号を発生させる賞遊技媒体排出信号発生手段と、
前記貸出操作手段により発生した前記貸出遊技媒体排出信号、若しくは前記賞遊技媒体排出信号発生手段により発生した前記賞遊技媒体排出信号に基づいて、前記遊技媒体排出装置を作動させ、各々所定数の前記遊技媒体を排出させる遊技媒体排出制御手段と、
前記遊技媒体排出装置が作動した際に、前記賞としての遊技媒体の排出状態を報知する報知手段と、
を備え、
前記遊技媒体排出装置を単一の装置から構成し、前記遊技装置の背面側から見て向かって右側の所定部位に配置するとともに、当該遊技媒体排出装置を前記遊技装置毎に設け、
前記遊技媒体排出制御手段は、
前記貸出操作手段により発生した前記貸出遊技媒体排出信号と、前記賞遊技媒体排出信号発生手段により発生した前記賞遊技媒体排出信号とが発生した際に、前記賞としての前記遊技媒体を排出させる制御に対して、前記貸出用の前記遊技媒体を排出させる制御を優先させて処理を行うとともに、
前記賞としての前記遊技媒体を排出する際には、前記報知手段を作動して前記賞としての遊技媒体の排出状態のみを報知し、前記貸出用の遊技媒体の排出については前記報知手段より報知しないようにしていることを特徴とする遊技装置。」
  申立人は、証拠として甲第１〜５号証を提出し、請求項１に係る発明の特許は、上記甲第１，２号証（あるいは甲第２号証に代えて甲第３号証、又は甲第４号証、又は甲第５号証）に記載された技術に基いて当業者が容易に発明をすることができたものであり、特許法第２９条第２項の規定により特許を受けることができないのものであるから、請求項１に係る発明の特許を取り消すべき旨主張している。
  甲第１号証（特開昭６３−１０２７８３号公報）には、
「パチンコ機ｌａとパチンコ機ｌｂとの間にパチンコ機ｌａ用の球貸機能部２ａとパチンコ機ｌｂ用の球貸機能部２ｂを隣り合せにして設け・・・各球貸機能部２の電気的制御装置（図示せず）を対応するパチンコ機の球排出装置４の制御装置・・・に電気的に接続するとともに、伝送部５を介して管理室内に設置してある中央管理装置・・・に電気的に接続する。」（第２頁左上欄第１７行〜右上欄第６行）こと、
「遊技者が金額表示器８の表示を確認し、金額選択操作部１０を操作することにより所望する金額を選択すると、電気的制御装置が当該パチンコ機１の球排出装置４を作動して、遊技者が選択した金額に対応した数量の球を該パチンコ機１前面の受皿２５に排出させる。」（第３頁石上欄第２〜７行）こと、
「球排出装置４は、第４図に示すように、貯留タンク２６から延出した樋２７の途中に設けられ、ソレノイド２８の駆動により樋２７内に出没して球の流下を規制する球ストッパ部２９と、通過する球を一個宛検出する球通過検出部３０等を備え、上記ソレノイド２８及び球通過検出部３０を電気的制御装置に接続してある。電気的制御装置からの信号によりソレノイド２８が励磁すると、球ストッパ部２９が樋２７内の球流路から退いて樋２７内の球が流下するとともに、球通過検出部３０が通過する球を検出して電気的制御装置に信号を送る。電気的制御装置は、球通過検出部３０からの信号を計数し、所定数の球が通過したことを計数するとソレノイド２８を消磁して球の流下を停止する。したがって、遊技者が球貸機能部２の金額選択操作部１０を操作すると、選択した金額に対応する所定数の球が流下し、これらの球は球排出樋３１を介してパチンコ機１前面の受皿２５に排出される。例えば、１００円に対して１回作動し２５個の球を貸し出すと予め設定した球貸機構において、遊技者が２００円分の金額選択操作部１０を操作すると、球排出装置４が２回作動して５０個の球を流下し、受皿２５に排出する。また、上記した球排出装置４は、遊技中に打球が入賞口に入る等して入賞態様が形成されると、電気的制御装置からの信号を受けて作動し、入賞態様に対応する数、例えば１３個の球を流下し、受皿２５に賞球として排出する。この様に、本発明においては、球貸出排出と賞球排出とを１つの排出装置４で行うようにした。」（第３頁左下欄第５行〜右下欄第１４行）こと、
「上記した実施例では、セーフ球の発生にもとづく賞球の排出を球貸による球排出に優先させたが、逆に、賞球の排出よりも球貸にもとづく球の排出を優先させて処理するようにしてもよい。」（第４頁左下欄第６〜１０行）こと、
が記載されている。
  また、甲第２号証（特開昭６４−３４３９０号公報）には、
「遊技用媒体を払出す遊技用媒体払出手段を備えた遊技機であって、
該遊技機は、
所定の遊技用カードが挿入可能なカード挿入口と、
前記カード挿入口から挿入されたカードが遊技用媒体の貸出し可能なカードか否かを判別するカード判別手段と、
前記カード判別手段が貸出し可能なカードを判別した出力に応答して、所定数量の遊技用媒体を前記遊技用媒体払出手段から払出し、
遊技機の賞態様に応じて所定数量の遊技用媒体を前記遊技用媒体払出手段から払出すことを特徴とする、遊技機。」（特許請求の範囲）であること、
「始動入賞口３１６ａ，３１６ｂ，３１４には、第９図に示すように、始動入賞玉検出器３６４ａ，３６４ｂ，３６４ｃが設けられており、この検出器の検出出力により、回転ドラム３０８を回転表示制御するように構成されている。また、この検出器の検出出力に基づいて景品玉を一定個数（たとえば７個）払出すよう制御されるのであり、この始動入賞玉検出器３６４ａ，３６４ｂ，３６４ｃは入賞玉検出器に兼用構成されている。」（第７頁右上欄第３〜１１行）こと、
「景品玉払出開始信号に基づいて駆動モータ５６８の回転を開始し、この景品玉検出器５７４によって払出される景品玉数を計数しながら所定数になったときに駆動モータ５６８を停止するようにすれば、任意の数の景品玉を払出すことが可能である。
　なお、貸玉指令の信号によっても、上記景品玉払出装置を駆動させて対応した貸玉を払出すようにしている。」（第１０頁石上欄第５〜１３行）こと、
「停止した回転リールの表示態様が予め定める所定の図柄の組合わせ（たとえば７７７）となった場合に、大当り状態となり、賞品用のコインがコイン受皿４１６上に払出される。この大当り状態は、回転リール３９８ａ、３９８ｂ，３９８ｃにおける同一の図柄が横一列または斜め方向に揃った場合に成立するのであり、その同一の図柄が揃ったラインを表示するための当りライン表示器４１０ａ，４１０ｂ，４１０ｃ，４１０ｄ，４１０ｅが設けられているとともに、大当りの表示を行なうための大当り表示器４１２ａ，４１２ｂが設けられている。」（第１５頁右下欄第１４行〜第１６頁左上欄第５行）こと、
「また、遊技者が貸コイン信号指令ボタン４０６を操作することにより、遊技用媒体の一例であるコインを必要な数だけコイン払出装置４２０からコイン受皿４１６に払出す。なお、遊技用媒体は、本実施例ではコインを用いる説明をしたが、前述パチンコ遊技機のパチンコ玉を用いて、スロットマシンの遊技ができるような遊技機の場合は、遊技用媒体としてパチンコ玉でもよい。このコインの払出しは、コイン払出装置４２０の下方に設けられている払出コイン検出器４２４の検出出力をカウントしながらコイン払出モータ４２２を駆動制御することにより所定量払出し得るように構成されている。このコイン払出しのための制御機構は、前記第１１図に示したブロック図において、始動入賞玉検出器および入賞玉検出器を削除したものとほぼ同様なものを用いることができ、具体的な説明はここでは省略する。また、コイン払出しのための制御動作は、前記第１２図のフローチャートにおいて、入賞玉検出器の検出出力および入賞玉記憶カウンタの記憶値に基づく制御部分を、スロットマシンにおける大当り時の周知の制御に置き換えたものがそのまま用いられる」（第１６頁右上欄第４行〜左下欄第６行）ことが、
  甲第３号証（特開平２−１０７２８７号公報）には、
「遊技者がパチンコ玉が必要な場合には、パチンコ玉貸機に貨幣を投入すると、パチンコ機の景品玉排出通路内に運通して設けられたパチンコ玉排出口から貸出玉が排出され、貸出玉はパチンコ機から払出される景品玉と同様に玉受け皿へ導かれる。」（第２頁左上欄第１２〜１７行）こと、
「パチンコ機１０の裏側には、第１図に示すとおり、遊技盤１０ａの各入賞口内に入賞したパチンコ玉を検知するセンサや、入賞に応じて役物や照明装置を制御するための制御装置や、各パチンコ玉を所定のパチンコ玉回収設備へ導くための樋等からなる遊技処理部１０ｂが設けられている。」（第２頁右上欄第１９行〜左下欄第４行）ことが、
  甲第４号証（特開平１−１３５３８３号公報）には、
「このパチンコ機は所定数のパチンコ球が内部に封入されており、必要に応じてパチンコ球がパチンコ機に補給される。」（第２頁左上欄第１７〜１９行）こと、
「遊技者はパチンコ機５の操作により所望金額に相当する数のパチンコ球を借り出して遊技を開始するとともに、遊技開始を表わす信号を演算処理装置４に入力する。」（第３頁右下欄第１７〜２０行）こと、
「遊技盤４１の上方右側には打球されたパチンコ球が入賞したこと、または賞品球の払出を表示するための入賞表示ランプ６５が設けてある。」（第７頁左下欄第６〜９行）ことが、
  甲第５号証（特開昭６２−１２０８６６号公報）には、
「パチンコ球の流下経路の途中に阻止部材（ストッパ）を臨ませて球の流下を制御するとともに、流下経路には検出器を設けて排出される球の数を計数し、所定数になった時点で阻止部材により球の流下を停止させることにより任意の数のパチンコ球を排出できるようにする。また、流下経路の終端には球の流出方向を左右２つの流出口または前方の流出口のいずれかに変換させる流路切換え手段を設け、前方の流出口は貸球出口とするとともに、左右の流出口にはそれぞれ両サイドに配置されるパチンコ遊技機から賞品球導出路を延設させてその開口端部を対向せしめるようにすることによって、コイン検出器やセーフ球検出器等からの排出要求信号の性質に応じて排出球数および流路を切り換え、所望の流出口に所定数のパチンコ球を排出できるようにする。」（第２頁右上欄第８行〜左下欄第３行）こと、
「セーフ球発生時には、出力ボート２２５より増幅器２３５へ信号を送って、スピーカＳＰＫを駆動して、入賞報知音を発生させる。」（第８頁右上欄第２０行〜左下欄第２行）ことが、それぞれ記載されている。
  請求項１に係る発明（以下「前者」という。）と上記甲号各証記載の技術（以下「後者」という。）とを対比すると、後者には、少なくとも前者の「遊技媒体排出装置が作動した際に、賞としての遊技媒体の排出状態を報知する報知手段」、及び「賞としての遊技媒体を排出する際には、前記報知手段を作動して前記賞としての遊技媒体の排出状態のみを報知し、貸出用の遊技媒体の排出については前記報知手段より報知しない」という構成を有しておらず、示唆する記載もない。
  甲第４号証に記載された「当りライン表示器４１０ａ，４１０ｂ，４１０ｃ，４１０ｄ，４１０ｅ」「大当り表示器４１２ａ，４１２ｂ」等は、「当りライン」や「大当り」となったことを表示する報知手段の一種であるが、本件特許における「賞としての遊技媒体の排出状態を報知」するものとは別のものである。
  以上のとおりであるから、請求項１に係る発明は、上記甲号各証に記載された技術に基いて当業者が容易に発明をすることができたものとはいえない。
  従って、特許異議申立ての理由及び証拠によっては、請求項１に係る発明の特許を取り消すことはできない。
  また、他に請求項１に係る発明の特許を取消すべき理由を発見しない。
  よって、結論のとおり決定する。
【異議決定日】
平成１２年５月１８日（２０００．５．１８）